(57)【要約】【課題】減衰こま全体の曲げ耐力の向上を図るとともに、ねじ軸部分の耐久性の向上を図り、さらに建物の美観および、安全性を維持する点や塵埃等に対する保全の点を改善する減衰装置を提供する。【解決手段】相対変位可能に互いに接続される第１および第２の連結部材からなり、この第１の連結部材は、少なくともその接続側に案内ねじ部が形成された第一のロッドと、この案内ねじ部に係合すると共に案内ねじ部との相対変位に基づき案内ねじ部上を回転摺動するよう軸支される案内ナットと、前記第１のロッドより大きな径を有すると共にこの径より充分大きな軸方向長さとを有し前記案内ナットを介して回転摺動可能に挿着される円筒形状回転体とからなり、前記第２の連結部材は、前記円筒形状回転体及び案内ナットを収容する円筒形状ケーシングからなる減衰装置において、第１の連結部材と接続されてその内部に第一のロッドと円筒形状ケーシングとを内包する径が円筒形状ケーシングより大きい外周円筒形状ケーシングを備える。【選択図】        図１
2004239411.tif 000002
【特許請求の範囲】
【請求項１】
相対変位可能に互いに接続される第１および第２の連結部材からなり、この第１の連結部材は、少なくともその接続側に案内ねじ部が形成された第一のロッドと、この案内ねじ部に係合すると共に案内ねじ部との相対変位に基づき案内ねじ部上を回転摺動するよう軸支される案内ナットと、前記第１のロッドより大きな径を有すると共にこの径より充分大きな軸方向長さとを有し前記案内ナットを介して回転摺動可能に挿着される円筒形状回転体とからなり、前記第２の連結部材は、前記円筒形状回転体及び案内ナットを収容する円筒形状ケーシングからなる減衰装置において、第１の連結部材と接続されてその内部に第一のロッドと円筒形状ケーシングとを内包する径が円筒形状ケーシングより大きい外周円筒形状ケーシングを備える減衰装置。
【請求項２】
円筒形状ケーシングは、少なくとも一つのリニアブッシュに挿入されて外周円筒形状ケーシングとリニアブッシュに支持されることを特徴とする請求項１記載の減衰装置。
【請求項３】
外周円筒形状ケーシングは、その端部と第２の連結部材との間に円筒形状回転体移動距離分の隙間が設けられることを特徴とする請求項１記載の減衰装置。
【発明の詳細な説明】
【０００１】
【産業上の利用分野】
本発明は、構造が簡単かつ小型でしかもその減衰効果が大きく達成されるねじ部を有する減衰装置に関し、特にねじ部の保護を図るものに関する。
【０００２】
【従来の技術】
一般に、減衰機構は、相対変位する２点（物体）間に装着され、一方の振動源側から他方の制振物体側へ伝達される振動エネルギを熱エネルギに変換消失することにより減衰効果を達成するよう構成されている。
【０００３】
しかるに、一般通常の減衰機構は、装置内に形成される粘性体チャンバ内に、振動に伴って発生される相対変位部分を収容することにより、その粘性摩擦抵抗を介して減衰効果を達成するように構成されており、しかもこの場合、前記相対変移部分の変位量は実際の変位量（相対変位する２点間の変位量）より増幅手段を介して増幅されるよう構成されている。従って、減衰効果も増大されることができる。因みに、減衰効果は、相対変位（動作）する２部分の間の対向面積の１乗および相対速度のα乗に比例する。
【０００４】
例えば、特許文献１に示されるように、図７では、減衰こま９６は、相対変位する２点（物体）１０２，１０４間を連結するよう互いに接続される第１および第２の連結部材９８および１００からなり、そして、これら両連結部材９８，１００は、そのそれぞれの一端部を前記２点１０２，１０４の中の１つにそれぞれ固定すると共に、その第１の連結部材９８は、その接続側を案内ねじ部１０６に形成し、そしてこのねじ部１０６上には、ボールベアリング１０８を介して螺合される案内ナット１１０で駆動する回転内筒１１２を回転摺動可能に挿着し、また第２の連結部材１００は、その接続側を前記回転内筒１１２を収容するチャンバ１１４用の固定外筒１１６に形成し、そしてこのチャンバ１１４内には減衰用の粘性体および／または粘弾性体１１８を充填するよう構成される。
【０００５】
【特許文献１】
特開平１０−１８４７５７号公報
【０００６】
【発明が解決しようとする課題】
前記減衰こまは、構造上、ピンジョイントと接続するベアリング部及びねじ部分は、その径が、もう一端のピンジョイントと接続する外筒の径と比較して小さいため、曲げ耐力が低くなっている。このため、自重や偏心ずれによる曲げ応力が本体にかかった場合に、摩擦力の増大や高速域での破損の可能性が生じるという課題を有している。
【０００７】
また、減衰こまは、梁や柱からなる矩形フレームの内部に、その端部がそれぞれ梁や柱とピン接合してブレース材として固体されて使用される。この場合、減衰こまが使用される、ねじ等の構造部分が露出するため、建物の美観および、安全性を維持する点や塵埃等に対する保全の点で、使用することのできる配置の制限がなされる。
【０００８】
そこで、本願発明の目的は、減衰こま全体の曲げ耐力の向上を図るとともに、ねじ軸部分の耐久性の向上を図り、さらに建物の美観および、安全性を維持する点や塵埃等に対する保全の点を改善することにある。
【０００９】
【課題を解決するための手段】
上記の課題を解決するために、本発明の請求項１に係る減衰装置は、相対変位可能に互いに接続される第１および第２の連結部材からなり、この第１の連結部材は、少なくともその接続側に案内ねじ部が形成された第一のロッドと、この案内ねじ部に係合すると共に案内ねじ部との相対変位に基づき案内ねじ部上を回転摺動するよう軸支される案内ナットと、前記第１のロッドより大きな径を有すると共にこの径より充分大きな軸方向長さとを有し前記案内ナットを介して回転摺動可能に挿着される円筒形状回転体とからなり、前記第２の連結部材は、前記円筒形状回転体及び案内ナットを収容する円筒形状ケーシングからなる減衰装置において、第１の連結部材と接続されてその内部に第一のロッドと円筒形状ケーシングとを内包する径が円筒形状ケーシングより大きい外周円筒形状ケーシングを備える。
【００１０】
本発明の請求項２に係る減衰装置において、円筒形状ケーシングは、少なくとも一つのリニアブッシュに挿入されて外周円筒形状ケーシングとリニアブッシュに支持されることを特徴とする。
【００１１】
本発明の請求項３に係る減衰装置において、外周円筒形状ケーシングは、その端部と第２の連結部材との間に円筒形状回転体移動距離分の隙間が設けられることを特徴とする。
【００１２】
【作用】
本発明に係る減衰装置は、連結部材と接続されてその内部に第一のロッドと円筒形状ケーシングとを内包する径が円筒形状ケーシングより大きい外周円筒形状ケーシングを備える。従って、曲げ耐力が向上する。このため、自重や偏心ずれによる曲げ応力が本体にかかった場合にも、摩擦力の増大や高速域での破損の可能性が下げることができる。さらに、ねじ等の構造部分が被覆されるため、建物の美観および、安全性を維持する点や塵埃等に対する保全の点を改善することができる。
【００１３】
【発明の実施の形態】
図１〜図６は、本発明に係る減衰装置および構造物の一実施の形態を示すものである。本発明に係る減衰筒２は、図１に示すように減衰棒４と延長部材６と保護カバー８とから構成される。減衰棒４は、相対変位する２点（物体）Ａ，Ｂ間を連結するよう互いに接続される第１及び第２の連結部材１０および１２からなり、そしてこれら両連結部材１０，１２は、それぞれの一端部を取付プレート１４，１６にそれぞれ固定すると共に、その第１の連結部材１０は、その接続側に延長部材６を連接し、この延長部材６はさらに接続側に案内ねじ部１８を形成し、そしてこの案内ねじ部１８には、図示されないボールベアリングを介して螺合される案内ナットで駆動する回転内筒を回転摺動可能に装着し、また第２の連結部材１２は、その接続側に前記回転内筒を収容するチャンバ用の固定外筒２０に形成し、そしてこのチャンバ内に減衰用の粘性体及び／または粘弾性体を充填するよう構成する。
【００１４】
さらに、延長部材６の端部から案内ねじ部１８と固定外筒２０を収容する外周円筒形状ケーシングである保護カバー８が延設される。
【００１５】
図２は、保護カバー８の内部について詳細に示す。この減衰棒４に対して、保護カバー８の開放端は、連結部材１２近傍まで延設されるが、減衰棒４収縮時に保護カバー８と連結部材１２とが干渉しないように、保護カバー８と連結部材１２との間に一定の間隔を空けて設けられる。また、保護カバー８は、固定外管２０の周囲に設けられるリニアブッシュ２２で摺動可能に支持されて、振動の防止と自重や偏心ずれによる曲げ応力の拡散を図る。
【００１６】
本発明の減衰装置は、比較的大きな構造物にも小さな組立物にも広く適用される。そこで次に、本発明に係る、減衰筒２を使用する減衰装置を建築構造物に適用した場合の実施例について以下に説明する。
【００１７】
先ず、第２の実施例である図３において、減衰筒２４は、建築構造物２８の構造枠体３０における対向各部の取付プレート３２ａ，３２ｂの間にそれぞれ連結部材３４ａ，３４ｂを介して圧縮及び引張可能に配設されている。一方、減衰筒２６はもう一方の対向各部の取付プレート３６ａ，３６ｂの間にそれぞれ連結部材３８ａ，３８ｂを介して圧縮及び引張可能に配設されている。従って、地震等で発生する構造枠体３０の歪変位によって伸縮される減衰筒２４，２６の減衰効果により構造枠体３０内の前記歪エネルギが吸収されて、建築構造物２８の振動が有効に制振されうるとともに、曲応力が減衰筒２４，２６表面に分散され、過大な摩擦力の発生が防止されて減衰筒内部の減衰棒の破損が防止される。
【００１８】
減衰筒の取付位置は構造枠体の中央であっても良く、第３の実施例である図４において、減衰筒４０，４２は、一方が下梁４６と各柱４８，５０交差部に設けられる取付プレート５２，５４に、連結部材５６ａ，５８ａが配設され、一方、上梁６０の中央に中央プレート６２が下垂して連結部材５６ｂ，５８ｂに配設され、中央プレート６２と取付プレート５２，５４との間に圧縮及び引張可能に配設されている。従って、地震等で発生する梁４６，６０及び柱４８，５０による構造枠体の歪変位によって伸縮される減衰筒４０，４２の減衰効果により前記構造枠体内の前記歪エネルギが吸収されて、建築構造物４４の振動が有効に制振されうるとともに、曲応力が減衰筒４０，４２表面に分散され、過大な摩擦力の発生が防止されて減衰筒内部の減衰棒の破損が防止される。
【００１９】
減衰筒を水平方向に設置した第４の実施例を図５に示す。各柱６４，６６と下梁６８が交差する交差部から互いに他方に向かって逆Ｖ字形状に配置される斜方ブレース７０ａ，７０ｂを備え、斜方ブレース７０ａ，７０ｂの交差する先端部７２から減衰筒７４が水平に取付けられ、この減衰筒７４の端部は上梁７６から下垂する支持部７８との間に圧縮及び引張可能に配設されている。従って、地震等で発生する梁６８，７６及び柱６４，６６による構造枠体の歪変位によって伸縮される減衰筒７４の減衰効果により前記構造枠体内の前記歪エネルギが吸収されて、建築構造物の振動が有効に制振されうるとともに、曲応力が減衰筒７４表面に分散され、過大な摩擦力の発生が防止されて減衰筒内部の減衰棒の破損が防止される。
【００２０】
さらに、減衰筒を水平方向に複数個設置した第５の実施例を図６に示す。各柱８０，８２と上梁８４が交差する交差部から互いに他方に向かってＶ字形状に配置される斜方ブレース８６ａ，８６ｂを備え、斜方ブレース８６ａ，８６ｂの交差する先端部８８から各柱との間に減衰筒９０，９２が水平に圧縮及び引張可能に配設されている。従って、地震等で発生する梁８４，９４及び柱８０，８２による構造枠体の歪変位によって伸縮される減衰筒９０，９２の減衰効果により前記構造枠体内の前記歪エネルギが吸収されて、建築構造物の振動が有効に制振されうるとともに、曲応力が減衰筒９０，９２表面に分散され、過大な摩擦力の発生が防止されて減衰筒内部の減衰棒の破損が防止される。
【００２１】
なお、本発明は前記実施形態に限定されるものではなく、本発明の目的を達成できる範囲での変形、改良は、本発明に含まれるものである。例えば、チャンバ内に減衰用の粘性体及び／または粘弾性体として、ポリイソブチレンその他の合成ゴム等を好適に使用することができる。
【００２２】
また、固定外管２０の周囲に設けられるリニアブッシュ２２に限定されるものではなく、他の摺動可能な部材であっても良い。
【００２３】
【発明の効果】
本発明の構成に従った第１の連結部材と接続されてその内部に第一のロッドと円筒形状ケーシングとを内包する径が円筒形状ケーシングより大きい外周円筒形状ケーシングを備える減衰装置を提供することで過大な摩擦力の発生が防止されて減衰筒内部の減衰棒の破損が防止される。
【００２４】
また、円筒形状ケーシングは、少なくとも一つのリニアブッシュに挿入されて外周円筒形状ケーシングとリニアブッシュに支持されることで、曲げ応力を外周円筒形状ケーシングの接合部以外へ分散させることが図れる。
【００２５】
さらに、外周円筒形状ケーシングは、その端部と第２の連結部材との間に円筒形状回転体移動距離分の隙間が設けられることで、保護カバー部の自由な移動が可能となる。
【図面の簡単な説明】
【図１】本発明に係る減衰装置を示す第１の実施例の概略図である。
【図２】本発明に係る減衰装置を示す第１の実施例の拡大図である。
【図３】本発明に係る減衰装置を示す第２の実施例の概略図である。
【図４】本発明に係る減衰装置を示す第３の実施例の概略図である。
【図５】本発明に係る減衰装置を示す第４の実施例の概略図である。
【図６】本発明に係る減衰装置を示す第５の実施例の概略図である。
【図７】従来の減衰装置を示す断面図である。
【符号の説明】
２  減衰筒
４  減衰棒
６  延長部材
８  保護カバー
１０，１２  第１及び第２の連結部材
１４，１６  取り付けプレート
１８  案内ねじ部
２０  固定外筒
２２  リニアブッシュ
２４  減衰筒
２６  減衰筒
２８  建築構造物
３０  構造枠体
３２ａ，３２ｂ  取付プレート
３４ａ，３４ｂ  連結部材
３６ａ，３６ｂ  取付プレート
３８ａ，３８ｂ  連結部材
４０，４２  減衰筒
４６  下梁
４８，５０  各柱
５２，５４  取付プレート
５６ａ，５８ａ  連結部材
６０  上梁
６２  中央プレート
６４，６６  柱
６８  下梁
７０ａ，７０ｂ  斜方ブレース
７２  先端部
７４  減衰筒
７６  上梁
７８  支持部
８０，８２  柱
８４  上梁
８６ａ，８６ｂ  斜方ブレース
８８  先端部
９０，９２  減衰筒
８４，９４  梁
８０，８２  柱
９６  減衰こま
９８，１００  第１および第２の連結部材
１０２，１０４  点
１０６  案内ねじ部
１０８  ボールベアリング
１１０  案内ナット
１１２  回転内筒
１１４  チャンバ
１１６  固定外筒
１１８  粘弾性体
【図１】
2004239411.tif 000003
【図２】
2004239411.tif 000004
【図３】
2004239411.tif 000005
【図４】
2004239411.tif 000006
【図５】
2004239411.tif 000007
【図６】
2004239411.tif 000008
【図７】
2004239411.tif 000009